(57)【特許請求の範囲】
【請求項１】
中空糸膜の上端部が中空糸膜端を開口した状態にて固定される上側固定部と、前記中空糸膜の下端部が中空糸膜端を封止した状態にて固定され、エアスクラビング用の空気導入孔を複数有する下側固定部とを備え、各中空糸膜を上下方向に延びるように保持して被処理水中に浸漬される中空糸膜モジュールにおいて、複数本の中空糸膜が上端部で結合された複数の中空糸膜束を、前記上側固定部の径方向中心を中心とする放射線上に配置して該上側固定部に固定し、
前記空気導入孔は、前記上側固定部における前記中空糸膜束の列同士の間の位置に対応する前記下側固定部における位置に設けられ、
前記上側固定部は、前記上側固定部の径方向中心部から外周部へ向かって上向きに傾斜する上向き傾斜面を有していることを特徴とする中空糸膜モジュール。
【請求項２】
請求項１に記載の中空糸膜モジュールを備えていることを特徴とする水処理装置。
【請求項３】
前記下側固定部に前記エアスクラビング用の空気を供給するブロワと、
前記中空糸膜モジュールの下方に配置されるとともに、前記ブロワから空気が供給される散気装置と、
を備える請求項２に記載の水処理装置。
【発明の詳細な説明】
【技術分野】
【０００１】
本発明は、河川水などの浄水処理、あるいは下水、工業廃水などの膜分離活性汚泥法による汚水浄化処理などに用いられる外圧型の中空糸膜モジュール及び水処理装置に関するものである。
【背景技術】
【０００２】
近年、膜分離活性汚泥法による汚水浄化処理において、生物反応槽内の好気性処理された被処理水（活性汚泥混合液）中に、中空糸膜を上下方向に延びるように保持して起立姿勢にて浸漬されて、中空糸膜内部を吸引することにより被処理水の膜ろ過による固液分離を行って透過水を得る外圧型の中空糸膜モジュールが用いられるようになってきている。
【０００３】
そして、この種の中空糸膜モジュールとして、特開２００３−３２６１４０号公報記載のものが知られている。図７はこの従来の中空糸膜モジュールの概念図であり、一部を断面図で示している。この従来の中空糸膜モジュール７０は、図７に示すように、上部固定部７２及び下部固定部７４を有し、２つの固定部７２，７４は、支持棒７６により連結支持されている。
【０００４】
上部固定部７２は、複数本の中空糸膜の両端を接着した中空糸膜束７８の複数を、支持棒７６を中心として、その周囲に二重に配置し、支持棒７６の両端と共に接着剤８０で一体化した構成となっている。中空糸膜束７８の上端面は開口されている。そして、上部固定部７２はこれと一体となったキャップ７３を有しており、このキャップ７３は、内部に透過液の集液室７５を有し、透過液の集液室７５は透過液出口（又は逆圧洗浄水入口）８２に繋がっている。一方、中空糸膜束７８の下部固定部７４側の下端面は、接着剤８０により封止されている。
【０００５】
下部固定部７４は、空気供給管８４と、複数の空気噴出孔８６を有している。空気噴出孔８６は、中空糸膜束７８同士の間隙や外周に設けられている。このように下部固定部７４に設けられた空気の噴出孔８６により、中空糸膜束７８のエアスクラビングによる洗浄がなされるようになっている。
【０００６】
このように構成される中空糸膜モジュール７０は、生物反応槽内の被処理水中に、中空糸膜を上下方向に延びるように保持して起立姿勢にて浸漬されて使用される。そして、ろ過運転時には、透過水出口８２に連通する吸引ポンプによるろ過を行う。被処理水は、中空糸膜束７８を構成する中空糸膜の外表面から内部空間に流入してろ過され、得られた透過水は中空糸膜内を通って、中空糸膜束７８の上端面側から排出され、集液室７５に流入した後、透過水出口８２から排出される。
【０００７】
ろ過運転を長時間継続して行ったとき、中空糸膜の表面に懸濁物質が付着して濾過性能が低下して行くため、下部固定部７４に設けられた空気供給管８４と空気噴出孔８６を用い、必要に応じて、あるいはろ過運転中、常時、エアスクラビングを行って、膜面に付着した懸濁物質（付着物）を取り除くようにしている。
【先行技術文献】
【特許文献】
【０００８】
【特許文献１】特開２００３−３２６１４０号公報（図１、図２）
【発明の概要】
【発明が解決しようとする課題】
【０００９】
しかし前述した従来の中空糸膜モジュール７０では、下部固定部７４に設けられた空気供給管８４と空気噴出孔８６とによるエアスクラビングを行っても、使用時間の経過とともに髪の毛などの繊維状の夾雑物が、上部固定部７２より露出した各中空糸膜束７８根元付近に付着したり絡み付いたりして、夾雑物の堆積が起こり易く、夾雑物の堆積による有効膜面積の減少によって透過水量が減少することから、この点において改善すべき余地があった。
【００１０】
そこで、本発明の課題は、中空糸膜の上端部が固定される上側固定部と、前記中空糸膜の下端部が固定される下側固定部とを備え、各中空糸膜を上下方向に延びるように保持して被処理水中に浸漬される中空糸膜モジュールにおいて、上側固定部より露出した各中空糸膜根元付近での夾雑物の堆積が起こり難く、長期間安定してろ過性能を発揮することができる中空糸膜モジュールを提供することにある。また、長期間にわたって安定して水処理が可能な水処理装置を提供することにある。
【課題を解決するための手段】
【００１１】
前記の課題を解決するため、本願発明では、次の技術的手段を講じている。
【００１２】
第１の発明は、中空糸膜の上端部が中空糸膜端を開口した状態にて固定される上側固定部と、前記中空糸膜の下端部が中空糸膜端を封止した状態にて固定され、エアスクラビング用の空気導入孔を複数有する下側固定部とを備え、各中空糸膜を上下方向に延びるように保持して被処理水中に浸漬される中空糸膜モジュールにおいて、複数本の中空糸膜が上端部で結合された複数の中空糸膜束を、前記上側固定部の径方向中心を中心とする放射線上に配置して該上側固定部に固定していることを特徴とする中空糸膜モジュールである。 
【００１３】
第２の発明は、第１の発明の中空糸膜モジュールを備えていることを特徴とする水処理装置である。 
【発明の効果】
【００１４】
第１の発明の中空糸膜モジュールは、複数本の中空糸膜が上端部で結合された複数の中空糸膜束を、上側固定部の径方向中心を中心とする放射線上に配置して該上側固定部に固定している。したがって、エアスクラビング用の上昇気泡、並びに上昇気泡による被処理水の上昇流は、中空糸膜表面の夾雑物を剥離しながら上昇して上側固定部に近づき、放射線上に配置されている互いに向い合う中空糸膜束列同士の間の領域に導かれ、中心より半径方向外側へ行くに従って広くなる前記領域を流れが妨げられることなく半径方向外側へ流れて上側固定部の外方へ導かれる。これにより、上側固定部より露出した各中空糸膜束根元付近での夾雑物の堆積を起こり難くすることができるので、有効膜面積の減少を防止して長期間安定してろ過性能を発揮することができる。 
【００１５】
第２の発明の水処理装置によれば、前記の中空糸膜モジュールを備えたものであるから、従来に比べて膜モジュール洗浄の間隔を延ばすことができて、長期間にわたって安定して水処理が可能である。 
【図面の簡単な説明】
【００１６】
【図１】本発明の中空糸膜モジュールの一実施形態の構成を示す断面図である。
【図２】図１における上側固定部に固定された中空糸膜束の配置を示す平面図である。
【図３】図１における下側固定部に設けられた空気導入孔の配置を示す平面図である。
【図４】本発明の中空糸膜モジュールの別の実施形態の構成を示す断面図である。
【図５】本発明の水処理装置の一実施形態を示す構成説明図である。
【図６】本発明の水処理装置の別の実施形態を示す構成説明図である。
【図７】従来の中空糸膜モジュールの概念図である。
【発明を実施するための形態】
【００１７】
以下、図面に基づき本発明の実施形態について説明する。図１は本発明の中空糸膜モジュールの一実施形態の構成を示す断面図、図２は図１における上側固定部に固定された中空糸膜束の配置を示す平面図、図３は図１における下側固定部に設けられた空気導入孔の配置を示す平面図である。
【００１８】
図１に示すように、中空糸膜モジュール１０は、下側固定部２０と、下側固定部２０の上方に所定間隔をあけて位置される上側固定部３０と、下側固定部２０と上側固定部３０とをそれらの間隔を保持して支持する上下方向に延びる複数本の支持部材（図示省略）と、下端部がその膜端を封止した状態で下側固定部２０に固定され、上端部がその膜端を開口した状態で上側固定部３０に固定された多数本の中空糸膜１１とにより構成されている。上下方向に延びる多数本の中空糸膜１１は、上側固定部３０の側において、所定数でなる複数本を上端部で束ねて接着結合した複数の中空糸膜束１２に形成されており、これら複数の中空糸膜束１２が上側固定部３０に固定されている。
【００１９】
上側固定部３０は、円筒体３１と、透過水出口３２ａを有して円筒体上側に取り付けられる円形上板３２と、膜束貫通孔を有して円筒体下側に取り付けられる円形下板３３とにより構成されている。上側固定部３０の内側には、複数の中空糸膜束１２が、図２に示すように、上側固定部３０の径方向中心を中心とする放射線上、本実施形態では径方向中心位置を含めて８本の放射線Ｌ１〜Ｌ８上に配置されて上側固定部３０に固定されている。１２ａは複数の中空糸膜束１２が接着剤にて結合された中空糸膜束結合部分、３４は上側固定部３０に中空糸膜束１２を固定する接着剤部分である。上側固定部３０の組立てにあたり、円形下板３３の各膜束貫通孔に中空糸膜束１２をそれぞれ通してから、中空糸膜束１２の間を接着剤で埋めるようにして円筒体３１に中空糸膜束１２を接着固定し、しかる後、円形下板３３が円筒体３１に取り付けられるようになっている。
【００２０】
そして、上側固定部３０内の上部には、集水室３５が形成されており、透過水の集水室３５は、各中空糸膜束１２を構成する中空糸膜１１の上端部の開口に連通しており、円形上板３２の下側面、円筒体３１の内壁面、中空糸膜束１２の上端面及び接着剤部分３４により画成されている。この集水室３５に繋がる透過水出口３２ａには、生物反応槽の外部に設置された吸引ポンプからの配管が接続される。
【００２１】
また、下側固定部２０は、上側固定部３０の円筒体３１と同一寸法の内径を持つ円筒体２１と、エアスクラビング用の本実施形態では８個の空気導入孔２３を有して円筒体２１内の上部に取り付けられた円板状をなすエアスクラビング用気泡放出部材（以下、単に気泡放出部材という）２２とにより構成されている。
【００２２】
前記８個の空気導入孔２３は、気泡放出部材２２において、図３に示すように、上側固定部３０における放射線Ｌ１〜Ｌ８とは位相を角度２２．５°だけずらせた放射線Ｌ１’〜Ｌ８’上であって、径方向中心より所定距離の位置にそれぞれ設けられている。すなわち、空気導入孔２３は、上側固定部３０における放射線Ｌ１〜Ｌ８上に配置された互いに向い合う中空糸膜束１２列同士の間の位置に対応する下側固定部２０における位置に設けられている。なお、図３に示す例とは違って、前記位置に、それぞれ、空気導入孔２３を複数個設けるようにしてもよい（図３に示す例では前記位置にそれぞれ１個設けてある）。
【００２３】
この気泡放出部材２２の上面には、その空気導入孔２３以外の部分に、ほぼ均一に分布させて、中空糸膜束１２を形成する中空糸膜１１の下端部が中空糸膜端を封止した状態で接着固定されている。また、円筒体２１の下端側には、生物反応槽の外部に設置されたブロワからのエアスクラビング用空気供給管２５の先端部分が位置されている。このエアスクラビング用空気供給管２５より円筒体２１内へ空気を圧入し、気泡放出部材２２下側の空気溜まり２４からの空気を空気導入孔２３より気泡として、被処理水中に放出させるようにしている。そして、この気泡の中空糸膜１１への衝突、並びに上昇気泡による被処理水の上昇流によって中空糸膜表面の付着物の除去を行うようにしている。
【００２４】
このように、本実施形態による中空糸膜モジュール１０は、複数本の中空糸膜１１が上端部で結合された複数の中空糸膜束１２を、上側固定部３０の径方向中心を中心とする放射線上に配置して該上側固定部３０（円筒体３１）に固定している。したがって、エアスクラビング用の上昇気泡、並び上昇気泡による被処理水の上昇流は、中空糸膜表面の夾雑物や汚泥を剥離しながら上昇して上側固定部３０に近づき、放射線Ｌ１〜Ｌ８上に配置されている互いに向い合う中空糸膜束列同士の間の領域に導かれ、中心より半径方向外側へ行くに従って広くなる前記領域を流れが妨げられることなく半径方向外側へ流れて上側固定部３０の外方へ導かれる。これにより、上側固定部３０より露出した各中空糸膜束１２根元付近での夾雑物や汚泥の堆積を起こり難くすることができるので、有効膜面積の減少を防止して長期間安定してろ過性能を発揮することができる。
【００２５】
この場合、図３に示すように、下側固定部２０の空気導入孔２３を、上側固定部３０における放射線Ｌ１〜Ｌ８上に配置された互いに向い合う中空糸膜束列同士の間の位置に対応する下側固定部２０における位置に設けていることにより、上昇気泡並びに上昇気泡による被処理水の上昇流を、上側固定部３０に固定されている互いに向い合う中空糸膜束列同士の間の領域に確実に導くことができる。
【００２６】
図４は本発明の中空糸膜モジュールの別の実施形態の構成を示す断面図である。ここで、上側固定部３０’が水流方向変換部材（逆円錐形下板３６）を備えている点以外は、前記図１〜図３に示される中空糸膜モジュールと同一構成なので、両者の共通する部分には同一の符合を付して説明を省略する。
【００２７】
図４に示すように、上側固定部３０’は、膜束貫通孔を有して円筒体３１下側に取り付けられた逆円錐形下板３６を備えている。この逆円錐形下板３６は、中心部から外周部へ向かう上向き傾斜面を有しており、エアスクラビング用の上昇気泡並びに上昇気泡による被処理水の上昇流を外方へ導く水流方向変換部材を構成している。
【００２８】
このように、本実施形態による中空糸膜モジュール１０’は、中空糸膜束１２を放射線上に配置して固定している上側固定部３０が、その下面側に水流方向変換部材としての逆円錐形下板３６を有する構成としている。したがって、上昇気泡並びに上昇気泡による被処理水の上昇流は、上側固定部３０に近づき、放射線上に配置されている互いに向い合う中空糸膜束列同士の間の領域に導かれて上側固定部３０に達した後、逆円錐形下板３６によって、確実に前記領域を半径方向外側へ流れて上側固定部３０の外方へ導かれる。これにより、上側固定部３０より露出した各中空糸膜束１２根元付近での夾雑物や汚泥の堆積をより確実に起こり難くすることができる。
【００２９】
なお、水流方向変換部材として逆円錐形形状をなす板部材を用いたが、逆円錐台形形状をなす板部材でもよい。
【００３０】
図５は本発明の水処理装置の一実施形態を示す構成説明図である。
【００３１】
この水処理装置４０は、本実施形態では被処理水である河川水の浄水処理を行うものである。図５に示すように、水処理装置４０は、被処理水供給ライン４１からの被処理水（河川水）が供給される被処理水槽４２と、この被処理水槽４２内の被処理水中に浸漬させて配置された複数の中空糸膜モジュール１０’（前記図４に示す構成の中空糸膜モジュール）と、これらの中空糸膜モジュール１０’に接続され、吸引ポンプ４３ａを有して該吸引ポンプ４３ａによって中空糸膜内部を吸引することにより被処理水の膜ろ過による固液分離を行って透過水を取り出すための透過水取出しライン４３と、ブロワ４４ａを有して中空糸膜モジュール１０’にエアスクラビング用空気を供給するためのエアスクラビング用空気供給ライン４４と、被処理水槽４２内の汚泥を排出するための汚泥排出ライン４５とを備えている。
【００３２】
図５において、４３ｂは各中空糸膜モジュール１０’の透過水出口３２ａに接続された集水管、４３ｃは各集水管４３ｂに連通する集水ヘッダー管、４３ｄは透過水取出し管である。集水管４３ｂ、集水ヘッダー管４３ｃ、透過水取出し管４３ｄ及び吸引ポンプ４３ａは、透過水取出しライン４３を構成している。また、４４ｂはブロワ４４ａによって加圧された空気を供給する空気供給管、２５は空気供給管４４ｂから分岐し、その先端部分が各中空糸膜モジュール１０’の円筒体２１の下端側に位置されるエアスクラビング用空気供給管（図１，図４参照）である。ブロワ４４ａ、空気供給管４４ｂ及びエアスクラビング用空気供給管２５は、エアスクラビング用空気供給ライン４４を構成している。各中空糸膜モジュール１０’は、その上側固定部３０’の逆円錐形下板３６が水面より下方に位置するように設置されている（図５では膜モジュール全体が完全に浸漬されて設置されている）。
【００３３】
このように構成される水処理装置４０によれば、前述した中空糸膜モジュール１０’を備えたものであるから、従来に比べて膜モジュール洗浄の間隔を延ばすことができて、長期間にわたって安定して浄水処理を行うことができる。
【００３４】
図６は本発明の水処理装置の別の実施形態を示す構成説明図である。
【００３５】
この水処理装置５０は、本実施形態では下水、廃水などの有機性物質を含有する被処理水の汚水浄化処理を膜分離活性汚泥法によって行うものである。図６に示すように、水処理装置５０は、被処理水供給ライン５１からの一次処理水が供給される被処理水槽としての生物反応槽５２と、この生物反応槽５２内の被処理水（活性汚泥混合液）中に浸漬させて配置された複数の中空糸膜モジュール１０’（前記図４に示す構成の中空糸膜モジュール）と、これらの中空糸膜モジュール１０’に接続され、吸引ポンプ５３ａを有して該吸引ポンプ５３ａによって中空糸膜内部を吸引することにより被処理水の膜ろ過による固液分離を行って透過水を取り出すための透過水取出しライン５３とを備えている。さらに、水処理装置５０は、ブロワ５４ａを有して中空糸膜モジュール１０’にエアスクラビング用空気を供給するためのエアスクラビング用空気供給ライン５４と、生物反応槽５２内における中空糸膜モジュール１０’の下方に配置された散気装置５６と、生物反応槽５２内の汚泥を排出するための汚泥排出ライン５５とを備えている。
【００３６】
前記透過水取出しライン５３は、集水管５３ｂ、集水ヘッダー管５３ｃ、透過水取出し管５３ｄ及び吸引ポンプ５３ａにより構成されている。エアスクラビング用空気供給ライン５４は、ブロワ５４ａ、空気供給管５４ｂ及びエアスクラビング用空気供給管２５により構成されている。散気装置５６は、この実施形態ではブロワ５４ａからの加圧された空気が空気供給管５４ｂより分岐した配管を介して供給される。散気装置５６は、その散気孔から散気する気泡（空気）によって酸素供給を行って活性汚泥処理（好気性処理）を行うとともに、上昇気泡のエアリフト作用によって生起する上昇流を中空糸膜モジュール１０’の膜面に作用させ、膜面洗浄をも行うためのものである。各中空糸膜モジュール１０’は、その上側固定部３０’の逆円錐形下板３６が水面より下方に位置するように設置されている（図６では膜モジュール全体が完全に浸漬されて設置されている）。
【００３７】
このように構成される水処理装置５０によれば、前述した中空糸膜モジュール１０’を備えたものであるから、従来に比べて膜モジュール洗浄の間隔を延ばすことができて、長期間にわたって安定して膜分離活性汚泥法による汚水浄化処理を行うことができる。
【符号の説明】
【００３８】
１０，１０’…中空糸膜モジュール
１１…中空糸膜
１２…中空糸膜束
１２ａ…中空糸膜束結合部分
２０…下側固定部
２１…円筒体
２２…エアスクラビング用気泡放出部材
２３…空気導入孔
２４…空気溜まり
２５…エアスクラビング用空気供給管
３０，３０’…上側固定部
３１…円筒体
３２…円形上板
３２ａ…透過水出口
３３…円形下板
３４…接着剤部分
３５…集水室
３６…逆円錐形下板
４０…水処理装置
４２…被処理水槽
４３…透過水取出しライン
４４…エアスクラビング用空気供給ライン
５０…水処理装置
５２…生物反応槽
５３…透過水取出しライン
５４…エアスクラビング用空気供給ライン
５６…散気装置
【図１】
0005390499.tif 000002
【図２】
0005390499.tif 000003
【図３】
0005390499.tif 000004
【図４】
0005390499.tif 000005
【図５】
0005390499.tif 000006
【図６】
0005390499.tif 000007
【図７】
0005390499.tif 000008